(57)【要約】【課題】本発明は、互いに屈曲可能に連結されたドア・リーフ要素を備えるドア・リーフを備えた、防弾性ローラ・ドアに関する。【解決手段】ローラ・ドアの閉鎖状態においてドア・リーフ平面を画定し、ドア・リーフは、駆動装置によって開放位置と閉鎖位置との間を往復移動することができる。ドア・リーフ要素は、断面内に空洞を有し、対弾道インサートが、ローラ・ドアの閉鎖状態においてドア・リーフ平面内で隣り合うドア・リーフ要素のインサートが重なり合うようにこれらの空洞内に挿入され得る。ローラ・ドアは、インサートとの関係において角度を付けて設定され、閉鎖状態において隣り合うドア・リーフ要素のインサート間の空隙を覆う、少なくとも１つの対弾道防御ストリップが、ドア・リーフ要素の空洞内に配置されることを特徴とする。ローラ・ドアが高速特性を有し、可能な限り軽量であるだけでなく、それと同時に弾道影響に対する保護も提供する。【選択図】図１
2019535989.tif 000002
【特許請求の範囲】
【請求項１】
防弾性ローラ・ドア（１）であって、前記ローラ・ドア（１）の閉鎖状態においてドア・リーフ平面を画定する、スラットまたはセクションなどの、ヒンジ（２２）を介して互いに屈曲可能に連結されたドア・リーフ要素（２１、２１’、２１’’）を備えるドア・リーフ（２）を備え、
前記ドア・リーフ（２）は、駆動装置（５）によって開放位置と閉鎖位置との間を往復移動することができ、
前記ドア・リーフ要素（２１、２１’、２１’’）は、断面内に空洞（２５）を有し、前記空洞の中に対弾道インサート（２６）が、前記ローラ・ドア（１）の閉鎖状態において前記ドア・リーフ平面内で隣り合うドア・リーフ要素（２１、２１’、２１’’）の前記インサート（２６）が重なり合うように挿入され、それにより、前記ドア・リーフ（２）は、閉鎖状態において前記ドア・リーフ平面全体にわたって対弾道特性を有するようになり、
前記インサート（２６）は、プレート様構成を有し、
前記インサート（２６）は、前記ドア・リーフ要素（２１、２１’、２１’’）の前記空洞（２５）内で前記ドア・リーフ平面に対して斜めに配向され、
前記ドア・リーフ要素（２１、２１’、２１’’）は、前記ドア・リーフ（２）の前記ヒンジ（２２）の領域内で段状に互いに重なり合い、それにより、前記ドア・リーフ平面内で前記閉鎖位置において後に続く前記それぞれのインサート（２６）は、前記ドアの外側で前記閉鎖位置において隣接して位置する前記インサート（２６）上を延びて、空隙を形成する、防弾性ローラ・ドアにおいて、前記ローラ・ドア（１）の閉鎖状態において隣り合うドア・リーフ要素（２１、２１’、２１’’）の前記インサート（２６）間の前記空隙を覆う少なくとも１つの対弾道防御ストリップ（３０、３１）が、前記インサート（２６）との関係において角度を付けて前記ドア・リーフ要素（２１、２１’、２１’’）の前記空洞（２５）内にさらに配置されることを特徴とする、防弾性ローラ・ドア。
【請求項２】
前記インサート（２６）が、２°〜３０°、好ましくは５°〜１５°の角度で前記ドア・リーフ平面に対して斜めに配向されることを特徴とする、請求項１に記載の防弾性ローラ・ドア。
【請求項３】
前記ローラ・ドア（１）の閉鎖状態において隣り合うドア・リーフ要素（２１、２１’、２１’’）の前記インサート（２６）間の前記空隙を両側で覆う２つの防御ストリップ（３０、３１）が、配置されることを特徴とする、請求項１または２に記載の防弾性ローラ・ドア。
【請求項４】
前記ローラ・ドア（１）が、少なくとも０．５ｍ／秒、好ましくは１．５ｍ／秒の速度で作動され得ることを特徴とする、請求項１から３のいずれか一項に記載の防弾性ローラ・ドア。
【請求項５】
ラビリンス様閉鎖具（２７）が、互いに面する、２つの隣り合うドア・リーフ要素（２１、２１’、２１’’）の端面間に存在することを特徴とする、請求項１から４のいずれか一項に記載の防弾性ローラ・ドア。
【請求項６】
前記ローラ・ドア（１）が、ＤＩＮ  ＥＮ  １５２２：１９９８による少なくともＦＢ３の防弾性クラスと適合することを特徴とする、請求項１から５のいずれか一項に記載の防弾性ローラ・ドア。
【請求項７】
前記インサート（２６）および／または前記少なくとも１つの防御ストリップ（３０、３１）が、圧入によって前記ドア・リーフ要素（２１、２１’、２１’’）内に挿入され
ることを特徴とする、請求項１から６のいずれか一項に記載の防弾性ローラ・ドア。
【請求項８】
前記ドア・リーフ要素（２１、２１’、２１’’）の材料、好ましくはアルミニウムの密度が、前記インサート（２６）の材料、好ましくは鋼の密度より小さいことを特徴とする、請求項１から７のいずれか一項に記載の防弾性ローラ・ドア。
【請求項９】
請求項１から８のいずれか一項に記載の防弾性ローラ・ドア（１）用のドア・リーフ要素（２１、２１’、２１’’）であって、
断面内に空洞（２５）を有し、前記空洞内に対弾道インサート（２６）が挿入され、
前記インサート（２６）は、プレート様構成を有し、
前記インサート（２６）は、前記ドア・リーフ要素（２１、２１’、２１’’）の前記空洞（２５）内で前記ドア・リーフ要素（２１、２１’、２１’’）の垂直配向との関係において斜めに配向される、ドア・リーフ要素において、
さらに、前記インサート（２６）との関係において角度を付けて配向された少なくとも１つの対弾道防御ストリップ（３０、３１）が、前記ドア・リーフ要素（２１、２１’、２１’’）の前記空洞（２５）内に配置されることを特徴とする、ドア・リーフ要素。
【請求項１０】
前記インサート（２６）が、２°〜３０°、好ましくは５°〜１５°の角度で前記ドア・リーフ要素（２１、２１’、２１’’）の垂直配向に対して斜めに配向されることを特徴とする、請求項９に記載のドア・リーフ要素。
【請求項１１】
２つの防御ストリップ（３０、３１）が、配置されることを特徴とする、請求項９または１０に記載の防弾性ローラ・ドア。
【請求項１２】
前記ドア・リーフ要素（２１、２１’、２１’’）が、ＤＩＮ  ＥＮ  １５２２：１９９８による少なくともＦＢ３の防弾性クラスに適合することを特徴とする、請求項９から１１のいずれか一項に記載のドア・リーフ要素。
【請求項１３】
前記インサート（２６）および／または前記少なくとも１つの防御ストリップ（３０、３１）が、前記ドア・リーフ要素（２１、２１’、２１’’）内に圧入することによって挿入されることを特徴とする、請求項９から１２のいずれか一項に記載のドア・リーフ要素。
【請求項１４】
前記ドア・リーフ要素（２１、２１’、２１’’）の材料、好ましくはアルミニウムの密度が、前記インサート（２６）の材料、好ましくは鋼の密度より小さいことを特徴とする、請求項９から１３のいずれか一項に記載のドア・リーフ要素。
【発明の詳細な説明】
【技術分野】
【０００１】
本発明は、防弾性ローラ・ドアであって、ローラ・ドアの閉鎖状態においてドア・リーフ平面を画定する、スラットまたはセクションなどの、ヒンジを介して屈曲可能に互いに連結されたドア・リーフ要素を備えるドア・リーフを備え、ドア・リーフは、駆動装置によって開放位置と閉鎖位置との間を往復移動することができ、ドア・リーフ要素は、断面内にそれぞれの空洞を有し、この空洞の中に対弾道インサートが、ローラ・ドアの閉鎖状態においてドア・リーフ平面内で隣り合うドア・リーフ要素のインサートが重なり合うように挿入され、それによってドア・リーフは、閉鎖状態においてドア・リーフ平面全体にわたって対弾道特性を有するようになり、インサートは、プレート様構成を有し、インサートは、ドア・リーフ要素の空洞内でドア・リーフ平面との関係において斜めに配向され、ドア・リーフ要素は、ドア・リーフの接合部の領域内で段状に互いに重なり合い、それにより、閉鎖位置においてドア・リーフ平面内で後ろに続くそれぞれのインサートは、ドアの外側で閉鎖位置においてこれに隣接して位置するインサート上を延びて、空隙を形成する、防弾性ローラ・ドアに関する。
【背景技術】
【０００２】
ローラ・ドアは、空間内の種々の領域を分離するために使用される。これらは、多くは、内部を環境から分離し、それによって内部領域を、温度、日光露出、または天候状態、たとえば風もしくは雨などの外的影響から保護する。しかし、外的影響は、弾道影響などのローラ・ドアに対する暴力的な影響から生じることもある。危険状況における保護を提供することを可能にするために、ドア・リーフを開放状態と閉鎖状態との間で迅速に移動させることができることがさらに必要である。
【０００３】
しかし、弾道影響に対する十分な保護を提供し得る材料および構造は、通常、これらがドア・リーフの重量を大幅に増大させることから、ローラ・ドアの高速特性と相反するものとなる。
【０００４】
特に、ドア・リーフの個々のスラット間の連結点の形状に関して問題がある。ドア・リーフは、スラットの関節式連結によってのみ偏向または巻き上げされて開放状態となることができるので、個々のスラットは、これらの連結点において互いに対して移動可能であるように構成される必要がある。スラット間の連結は、現在のところ、しばしば弾性ゴム形状によってもたらされている。しかし、そのようなゴム形状は、ローラ・ドアに対する弾道影響に関していかなる保護も提供することはできない。
【０００５】
防風安全ドアの一例が、米国特許出願公開第２００７／０１９３７０１Ａ１号に開示される。ここで説明されるローラ・ドアは、互いに連結された複数のスラットを含む。対応する抵抗力を提供するために、スラットは鋼から作製され、これらは互いに重なり合う。スラットの十分な強度は、スラットの両側に追加的に設けられた保持要素によって保証される。
【０００６】
ローラ・ドアの抵抗力をさらに増大させるために、米国特許出願公開第２００７／０１９３７０１Ａ１号は、スラットの空洞内に挿入することができるインサートを開示する。これらのインサートは、中実形状を有し、保持要素によってスラット内に保持される。
【０００７】
しかし、米国特許出願公開第２００７／０１９３７０１Ａ１号に開示されるローラ・ドアの欠点は、ローラ・ドアの重量である。この開示では、スラットの容積全体を満たすインサートが、防弾特性を確実にもたらすために提供される。結果として、ローラ・ドアの
重量全体は大幅に増大し、その結果、ローラ・ドアの高速特性は、大きな力を用いなければ達成することはできない。それ自体の重量の重さの結果生じる高い動的応力は、駆動装置が十分な大きさの駆動装置として寸法設定される場合であってもローラ・ドアの構造全体に逆効果を与え、それにより、ローラ・ドアの耐用年数は大きく低減する。加えて、正確にはたとえば８ｍ以上の広いドア構造の場合、ドア・リーフは、ローラ・ドアの開放状態においてそれ自体の相当な重量によって垂れ下がるという問題が生じる。
【０００８】
さらに、ＤＥ３４０２５３２Ａ１は、安全ローラ・シャッタ用の中空セクション・ローラ・シャッタ・スラットを開示している。この中空セクション・ローラ・シャッタ・スラットには、高い引張強度を有する繊維から作製された織物複合材からなる充填物が少なくとも部分的に備えられ、隣り合うローラ・シャッタ・スラットの充填領域がローラ・シャッタ内で重なり合うように成形される。
【０００９】
同様に、ＤＥ３７４３６２８Ａ１は、部分的に相互に重なり合う中空セクションを備えるドアまたはローラ・シャッタを開示している。このドアまたはこのローラ・シャッタには、発射物、爆発などに対する保護のために特にアラミドからなるファブリックまたはメッシュの複数の層を含むインサートが設けられる。ローラ・シャッタの隣り合う中空セクションのインサートの長手方向縁は、互いに重なり合い、ほころばないように安定化される。
【００１０】
前述の文献が、ファブリック層からなるインサートの使用によってローラ・シャッタなどの重量を小さく保つ問題を解決する方法を提供していても、これらの構造は、弾道影響に対して十分な保護を提供していない。特に、個々のインサートの重なり合う領域は、標的を定めた攻撃の場合に打ち破ることができる脆弱点であり、したがって、内部の十分な保護を保証することはできない。
【先行技術文献】
【特許文献】
【００１１】
【特許文献１】米国特許出願公開第２００７／０１９３７０１Ａ１号
【００１２】
【特許文献２】ＤＥ３４０２５３２Ａ１
【００１３】
【特許文献３】ＤＥ３７４３６２８Ａ１
【発明の概要】
【発明が解決しようとする課題】
【００１４】
したがって、本発明の基本的な目的は、高速特性を有し、このために最小限の重量を有するだけでなく、それと同時に弾道影響に対する保護も提供する、ローラ・ドアを構成することである。
【課題を解決するための手段】
【００１５】
この目的は、請求項１の特徴を有するローラ・ドアによって成し遂げられる。特に、この目的は、少なくとも１つの対弾道防御ストリップであって、インサートとの関係において角度を付けて配置され、ローラ・ドアの閉鎖状態において隣り合うドア・リーフ要素のインサート間の空隙を覆い、さらにドア・リーフ要素の空洞内に配置される、対弾道防御ストリップによって達成される。
【００１６】
ローラ・ドアの対弾道特性は、プレート様インサートおよび少なくとも１つの防御ストリップの挿入によって達成される。ドア・リーフ要素の特別な構成により、ローラ・ドア全体の対弾道特性は、非常に簡単に製造することができる追加部材、すなわちインサート
および防御ストリップによって達成され得る。プレートの形態のこのインサートおよび少なくとも１つの防御ストリップの製造は、ドア・リーフ要素の形状への適応の複雑なプロセスも、材料の曲げ加工または深絞り加工などの他の成形ステップも必要としない。材料の本来の特性をこうして完全に維持することができ、対弾道特性を確実にもたらすことができる。
【００１７】
加えて、ドア・リーフ要素の非常に軽量の構造は、プレート様インサートを使用することによって達成される。現況技術とは異なり、中実形状、すなわちドア・リーフ要素の完全な充填は提供されないため、各個々のドア・リーフ要素は、少量の追加材料を使用して対弾道性にされ得、これによりドア・リーフ全体を軽量構造として構成することができる。ドア・リーフの対弾道特性とローラ・ドアの高速特性の組み合わせは、この構造によって可能である。
【００１８】
ローラ・ドアの安全性、すなわち弾道攻撃に対する防御能力は、ドア・リーフ要素のインサートとの関係において曲げられる少なくとも１つの防御ストリップが追加的に形成されることによって高められる。現況技術において示されるインサート間の脆弱点は、防御ストリップによって解消される。ドア・リーフ平面との関係において斜めに衝突する発射物、および特にドア・リーフ平面との関係において小さい角度で衝突する断片は、防御ストリップによって、ローラ・ドアによって保護された内部を貫通することが防止される。
【００１９】
特に、２つのインサート間に存在する空隙は、防御ストリップによって覆われ得る。この空隙は、２つの隣り合うドア・リーフ要素の重なり領域内のインサート間に形成される。これは、インサート間の距離をドア・リーフ平面に対して直角に画定し、この距離は、ドア・リーフの全幅にわたって延びる。空隙は、ローラ・ドアの閉鎖状態においてインサートの上側端部と次のインサートの下側インサート端部との間に存在する。この空隙の形状は、さらに、開閉作動中、互いに関連する個々のドア・リーフ素の位置が変化するときに変化する。本発明による少なくとも１つの防御ストリップにより、発射物または断片は、どちらにしても、この空隙を通って内部に入ることはできない。
【００２０】
さらに、ドア・リーフ要素は、ドア・リーフのヒンジの領域内で互いに段状に重なり合うため、ドア・リーフ平面内の閉鎖方向に後に続くそれぞれのインサートは、ドアの外側で閉鎖方向に隣接して位置するインサート上を延びることができる。これにより、ドア・リーフを開放中に容易に偏向できることが確実にされる。回転中心のできるだけ近くに重なり部を配置することで、これにより偏向中に外に出るドア・リーフ要素の部分を小さく保つことができるため、それぞれのヒンジ周りの偏向中に必要な空間要件が最小限にされる。ドア・リーフの偏向に利用できるように保たれなければならない空間をこうして小さくできるため、その結果、ローラ・ドアは、多くの種々の領域内に設置され得る。隣り合うインサートの重なり部により、ドア・リーフは、追加的に、天候関連の影響に対する保護も提供する。雨、あられなどは、ドア・リーフに流入できずにドア・リーフ上の外側で偏向される。
【００２１】
加えて、プレート様形状は、ドア・リーフ要素内のインサートの容易な挿入を可能にする。その結果、インサートを容易に取り換えることができ、これによりローラ・ドアの対弾道特性は必要に応じて変更され得る。たとえば、ＤＩＮ  ＥＮ  １５２２による防弾性クラスＦＢ２のインサートを、ＤＩＮ  ＥＮ  １５２２によるクラスＦＢ４に取り換えることをここで考えることができる。ローラ・ドアは、より激しい外乱期間中は安全性をより高くすることができ、すなわちより高い防弾クラスによるものであることができ、一方でより低い安全性のクラスの対弾道インサートは、通常の状態下で使用され得る。
【００２２】
対弾道インサートのプレート様構成は、特にその斜めの配置と共に利点を提供する。横
方向インサートが、ドア・リーフ要素の安定性を達成するために現況技術において設けられている。したがって、ドア・リーフの十分な安定性を保証することを可能にするために、対弾道特性を達成するためのインサートに加えて、追加の構造的対策がここでは必要である。
【００２３】
それとは対照的に、プレート様インサートの本発明による斜めの配置により、両方の特性が同時に得られる。対弾道特性も同時に有するインサートの斜めの配置は、ドア・リーフ要素を補強し、その結果、ドア・リーフ要素の曲げ強度は増大する。
【００２４】
個々のドア・リーフ要素の曲げ剛性のそのような増大により、ドア・リーフを全体としてより幅広にすることができ、すなわち、これはより大きい寸法を有することができる。これにより、ドア・リーフがそれ自体の重量によってドアまぐさ領域内に垂れ下がることは、最小限にされ得る。これにより、ドア・リーフ要素は、容易にだけでなく、構造に関して驚くほど簡単に保持され得る。ドア・リーフ要素のこの構成によって曲げ剛性を増大させることが可能であるだけでなく、それと同時に対弾道特性を有する軽量ドア・リーフ、したがって防弾性の高速ローラ・ドアを得ることもできる。
【００２５】
ＤＥ２０２１５２６１Ｕ１は、ドア・リーフが、斜めに配置された鋼プレートを追加的に中に挿入することができるスラットからなる、防弾性の、二重に装甲を施したローラ・ドアを開示しているが、対弾道特性は、この構造では、前後に配置された２つのドア・リーフによってローラ・ドアのドア・リーフ平面全体にわたって達成されており、その結果、個々のスラット間の接合部分における脆弱点は、解消され得る。２つのドア・リーフのスラットの、互いに対してずらした配置により、１つのスラットが、他のドア・リーフの２つのスラット間の接合部分を常に覆う。
【００２６】
しかし、２つのドア・リーフのこの配置は、ローラ・ドア・システム全体の大きな欠点を生じさせる。一方では、１つのドア・リーフの代わりに、２つのドア・リーフが前後に設置されなければならないため、ローラ・ドアの空間要件が増大する。他方では、開放作動または閉鎖作動に対して、１つだけのドア・リーフではなく２つのドア・リーフをこのとき移動させなければならないため、システムの総エネルギー需用も同様に増大する。したがって、この文献は、本発明による解決策を見つけるためのいかなる提案も提供できていない。
【００２７】
本発明によるローラ・ドアの有利な変形形態は、従属請求項２から８の主題である。
【００２８】
本発明の有利な変形形態では、インサートは、ドア・リーフ要素内で、２°〜３０°、好ましくは５°〜１５°の角度でドア・リーフ平面に対して斜めに配向され得る。垂れ下がりに対するドア・リーフ要素のかなりの補強がこれによって達成され、これは、開放位置において特に有利である。加えて、これにより、インサートの重なりは、ドア・リーフ平面内で簡単な手段によって確立され得る。
【００２９】
さらに、ローラ・ドアの閉鎖状態において隣り合うドア・リーフ要素のインサート間の空隙を両側で覆う２つの防御ストリップが、配置され得る。ローラ・ドアの安全性は、防御ストリップを両側に配置することより、すなわち防御ストリップを、これらがインサート間の空隙上で互いに向かい合って位置するように配置することにより、さらに高められ得る。その結果、一方では、防御ストリップがインサートに対して外側に位置することにより、発射物または断片が空隙に入ることが防止され得る。それと同時に、断片は、外側に位置する防御ストリップを通過した場合であっても、空隙を通り抜けた後で、インサートに対して内側に位置する防御ストリップによって安全に止められる。
【００３０】
さらに、防弾性ローラ・ドアは、少なくとも０．５ｍ／秒、好ましくは１．５ｍ／秒の速度で作動され得る。この高速特性により、防弾性ドア・リーフは、安全性が重要な地域だけでなく工業地域内においても使用され得る。これらの地域では、作動中に行われるプロセスを妨げてはならないため、ドア・リーフを数秒内で開閉できることが望ましいことが多い。迅速な開閉作動は、さらに、危険な状況における安全性にも関連する。外側からの脅威が存在する場合、ローラ・ドアは、弾道攻撃に抵抗するために数秒後には閉じられていなくてはならない。
【００３１】
加えて、ラビリンス様閉鎖具が、本発明によるローラ・ドア内で互いに面する２つの隣り合うドア・リーフ要素の端面間に存在することができる。こうしてドア・リーフの安全性は、２つの隣り合うドア・リーフ要素間の接合部分において高められ得る。発射物が、たとえば、ドア・リーフ平面に対して直角ではなく、２つのドア・リーフ要素間にこれらが入ることができる角度で衝突した場合、これらの発射物は、ラビリンス様閉鎖具によって止められる。これと同様に、断片などもまた、ラビリンス様閉鎖具によって偏向され、それによりドア・リーフ平面を貫通することが止められるため、これら断片などがドア・リーフを貫通することが防止され得る。
【００３２】
別の有利な実施形態によれば、本発明によるローラ・ドアは、少なくともクラスＦＢ３に対応するＤＩＮ  ＥＮ  １５２２：１９９８による防弾性を有することができる。ＤＩＮ  ＥＮ  １５２２基準は、窓、ドア、および閉鎖具の防弾性を分類する。所望の保護は、特定のクラスに適合することによって達成され得る。所望のクラスに到達するための可能なパラメータは、とりわけ、使用される材料、およびインサートの場合に使用されるインサートの厚さから構成される。クラスＦＢ３のローラ・ドアは、発射物に対して信頼高い保護を提供する。
【００３３】
さらに、インサートおよび／または少なくとも１つの防御ストリップは、圧入によってドア・リーフ要素内に挿入され得る。追加の保持および締め付け要素は、圧入の使用により、インサートには不必要である。追加の要素は設けられないため、各ドア・リーフ要素の重量はさらに小さく保たれ得る。加えて、インサートの挿入は、たとえばより高い保護クラスにインサートを変更する場合に追加のツールを必要としない圧入によって、非常に簡単に保たれる。
【００３４】
本発明の変形形態では、ドア・リーフ材料の材料、好ましくはアルミニウムの密度は、インサートおよび／または少なくとも１つの防御ストリップの材料、好ましくは鋼の密度より小さくてよい。ドア・リーフの対弾道特性にもかかわらず、材料のこの組み合わせにより、重量は小さく保たれ得る。ドア・リーフ平面全体は、インサートの互いの重なり合いによって覆われるため、インサートが対弾道特性を有するだけで十分である。ドア・リーフ要素の残りの部分は、この要件を満たす必要はないため、したがって、できる限り軽量で、すなわちより小さい密度で作製され得る。したがって、ドア・リーフ要素の材料は、たとえば、これが異なる特性、たとえば高い耐食性を有するように選択されてよい。
【００３５】
本発明の別の態様によれば、防弾性ローラ・ドア用の請求項９によるドア・リーフ要素が、提供される。ドア・リーフ要素は、断面内に空洞を有し、この空洞内に対弾道インサートが挿入され、インサートは、プレート様構成を有し、ドア・リーフ要素の空洞内でドア・リーフ要素の垂直配向との関係において斜めに配向される。ドア・リーフ要素は、インサートとの関係において角度を付けて配向された少なくとも１つの対弾道防御ストリップが、さらに、ドア・リーフ要素の空洞内に配置されることを特徴とする。
【００３６】
個々のドア・リーフ要素の対弾道特性はローラ・ドア全体の構造的構成とは独立しているため、ドア・リーフ要素は、既存のローラ・ドアを改造するために使用されてもよい。
本発明によるそのようなドア・リーフ要素は、別々に販売することができる製品である。
【発明の効果】
【００３７】
加えて、ローラ・ドアに基づいて上記で説明した利点は、本発明によるドア・リーフ要素によって同様に達成される。
【００３８】
本発明によるドア・リーフ要素の有利な変形形態は、従属請求項１０から１４の主題である。すでに説明した効果は、ここで示す特徴によって同様に達成される。
【００３９】
本発明は、図に基づいて以下でより詳細に説明される。
【図面の簡単な説明】
【００４０】
【図１】本発明によるローラ・ドアの斜視図である。
【図２】第１の実施形態による、ドア・リーフ要素を備えたドア・リーフの詳細の横方向図である。
【図３】第２の実施形態による、ドア・リーフ要素を備えたドア・リーフの詳細の横方向図である。
【図４】防御ストリップ無しのドア・リーフ要素を備えたドア・リーフの詳細の横方向図である。
【図５】第１の実施形態による、本発明によるドア・リーフ要素の詳細斜視図である。
【図６】第２の実施形態による、本発明によるドア・リーフ要素の詳細斜視図である。
【図７】防御ストリップの挿入領域無しの、本発明によるドア・リーフ要素の詳細斜視図である。
【図８】第１の実施形態によるドア・リーフ要素の空洞の図である。
【図９】第２の実施形態によるドア・リーフ要素の空洞の図である。
【発明を実施するための形態】
【実施例１】
【００４１】
図１は、ローラ・ドア１の斜視図を示す。ローラ・ドア１は、両側のドアフレーム３の領域内のガイド４内で垂直に案内されるドア・リーフ２を有する。ドア・リーフ２は、モータを用いて駆動装置５によって駆動される。
【００４２】
各ガイド４は、らせんセクション４１と、垂直セクション４２とを有する。開放位置では、ドア・リーフ２は、ドアまぐさの領域内のらせんセクション４１内にロールとして収容され、ロールの層は、互いに接触せずに位置している。閉鎖位置では、ドア・リーフ２は、横方向ガイド４間の自由通過空間、すなわちドア開口部の領域を底部まで完全に下って閉じ、この状態でドア・リーフ平面を形成する。
【００４３】
ドア・リーフ２は、ドア・リーフ要素として作用するスラット２１から構築され、ドア・リーフ要素は、図２によれば、互いに関連するヒンジ２２によって横方向ストラップヒンジ２３を介して屈曲可能に互いに連結される。ドア・リーフ２の底側閉鎖具として、閉鎖位置において底側に位置し、先縁がその上に形成された閉鎖シールド２４が、ドア・リーフ２の最下スラット２１と隣接する。
【００４４】
図２は、スラット２１を備えたドア・リーフ２の横方向詳細図を示す。対弾道インサート２６が、スラット２１の空洞２５内に斜めに挿入される。インサート２６は、約７．８６ｇ／ｃｍ３に等しい鋼密度を有する鋼プレートとして構成され、鋼プレートは、厚さ４ｍｍを有する。鋼プレートの幅および高さは、ドア・リーフの寸法に左右される。幅は、
例示的な実施形態では約３ｍであり、インサート２６の高さは、スラット２１の高さに直接左右され、ここでは１５ｃｍに等しい。閉鎖方向に先行するスラット２１は、ここでは閉鎖方向に後に続くスラット２１によって重ねられる。ラビリンス様重なり部２７が、隣り合うスラット２１のこの重なりによるスラット間の閉鎖具として形成される。
【００４５】
加えて、防御ストリップ３０、３１の配置が、図２に示される。ここで見ることができるように、２つの防御ストリップ３０、３１が、スラット２１の各空洞２５内に挿入される。これらの防御ストリップはインサート２６と接触しており、それによって第１の防御ストリップ３１はインサート２６から開始して内部まで延び、一方で防御ストリップ３０は、インサート２６からローラ・ドア１の外側領域まで延びるようになる。防御ストリップ３０、３１は、ドア・リーフ平面との関係において角度を付けて曲がってこうして延びる。防御ストリップ３０、３１は、図２に示すように、９０°の角度でドア・リーフ平面に対して直角に延びることができ、または図３に示すように、これらは、９０°とは異なる角度で、すなわちドア・リーフ平面に対して斜めに延びることができる。
【００４６】
２つのそれぞれのインサート２６間の、その重なり領域内に形成された空隙は、たとえば２つの防御ストリップ３０、３１によって覆われ、それにより、インサート２６と防御ストリップ３０、３１との間には、ローラ・ドア１の外側からローラ・ドア１の内側までそこを通って直線を描くことができる自由空間は存在しない。その結果、ローラ・ドア１を通り抜ける発射物または断片の直接的な貫通は可能でない。
【００４７】
加えて、対弾道インサート２６は一体型構成を有する。これにより防弾特性は、さらに高い確実性で保証され得る。この構成により、接合部をインサート２６上に渡す必要はなく、または締め付け点をインサート２６に追加的に固定する必要もない。したがって、一体型構成により、安全性を高めることができるだけでなく、それと同時に製造プロセスならびにスラット２１内へのインサート２６の挿入もより簡単になる。
【００４８】
個々の防御ストリップ３０、３１もまた、一体型構成を有する。これらは、たとえば、プレート様構成を有し、ドア・リーフ２の幅に対応するか、またはインサート２６に対応する長さを有する。それぞれの防御ストリップ３０、３１の厚さは、互いに異なっていてよく、インサート２６のものとは異なっていてよい。代替策として、インサート２６および少なくとも１つの防御ストリップ３０、３１は、同じ材料からなる要素であってよく、それと共に同じ厚さを有することができる。それゆえ、防御ストリップ３０、３１は、約７．８６ｇ／ｃｍ３に等しい鋼の密度を有する鋼プレートであってよい。加えて、防御ストリップ３０、３１は、たとえば、４ｍｍの厚さを有することができる。防御ストリップ３０、３１は、インサート２６と同様の対弾道特性を有する。インサート２６および防御ストリップ３０、３１の材料は、たとえば、熱間圧延された鋼であってよい。
【００４９】
図７は、本発明によるスラット２１”の詳細図を示す。防御ストリップ３０、３１は、簡潔にするためにこの図では示されない。対弾道インサート２６は、側部からスラット２１”内に挿入される。防御ストリップ３０、３１も同様に、側部からスラット２１”内に挿入され得る。少なくとも１つの防御ストリップ３０、３１は、個々にまたはインサート２６と一緒に挿入され得る。たとえば、インサート２６および防御ストリップ３０、３１は、スラット２１”内への挿入前に、同じようにして溶接され、結合され、または連結され得る。
【００５０】
インサート２６および防御ストリップ３０、３１は、一体型で作製され、成形加工によって、たとえば曲げ加工、深絞り加工、またはプレス加工によって形成される。したがって、インサート２６と防御ストリップ３０、３１との間に縁部を形成する必要はなく、これらは滑らかな移行を有することができる。これは、インサート２６および防御ストリッ
プ３０、３１の相応に可撓性であり防弾性の材料によって可能にされ得る。たとえば、高い可撓性および／または変形性を備えた金属が、ここでは使用され得る。具体的な用途に応じて、インサート２６および防御ストリップ３０、３１の材料は、可変であってよい。たとえば、インサート２６または少なくとも１つの防御ストリップ３０、３１が空洞２５内に留まった状態で、少なくとも１つの防御ストリップ３０、３１だけ、またはインサート２６だけの取り換えを考えることもできる。さらに、インサート２６は、上側点２８ａおよび下側点２８ｂにおいてスラット２１”内に圧入することによって挿入され得る。このために、受け入れポケットが、閉鎖方向に上側６番目および閉鎖方向に下側６番目においてスラット２１”内に形成される。インサート２６は、本質的にスラット２１”の全幅にわたって上側受け入れポケットおよび下側受け入れポケット内に延び、すなわち、スラット２１”は、上側領域内および下側領域内の受け入れポケット内に３ｍにわたって締め付けられる。加えて、インサート２６は、閉鎖方向に最高点および最低点であるスラット２１”の空洞２５の点間を本質的に延びるように、スラット２１”の高さに対応して垂直に延びる。この例示的な実施形態では７°に等しい角度α（α＝７°）が、インサート２６と、ドア・リーフ平面に対して平行であるスラット２１”の横方向壁との間に形成される。
【００５１】
図８および９は、スラット２１、２１’の空洞２５の例を示す。ここで見ることができるように、スラット２１、２１’は、インサート２６または防御ストリップ３０、３１のためのそれぞれの挿入領域が中に形成される輪郭を有する。これらの挿入領域を形成することにより、インサート２６および防御ストリップ３０、３１を空洞２５内の特定の位置に確実に収容することができ、それにより、傾き、ぐらつき、または滑りが起こることが防止され、ローラ・ドア１の安全性がこうして保証され続ける。
【００５２】
ドア・リーフ２の外側からの弾道攻撃の場合、発射物がスラット２１、２１’、２１’’の外方向に向けられた第１の表面を貫通することが予想される。この表面を貫通した後、発射物はインサート２６に到達する。このインサート２６は対弾道特性を有しているため、発射物はこのインサート２６を貫通できず、この表面において偏向されるか、またはインサート２６内に引っかかったままとなる。
【００５３】
スラット２１、２１’、２１”の簡単な構造により、損傷を受けたスラット２１、２１’、２１”は、スラット２１、２１’、２１”がねじ止めされる横方向ストラップヒンジ２３から取り外され得る。新しいスラット２１、２１’、２１”が、次いで、２つの古いスラット２１、２１’、２１’’．の間に挿入され得る。
【００５４】
対弾道インサート２６も同様に、すべてのスラット２１、２１’、２１”において取り換えられ得る。インサート２６はプレート様構成を有しているため、これを簡単な方法で製造することができ、スラット２１、２１’、２１”の空洞２５の寸法に合わせて切断するだけである。インサート２６が圧入によってスラット２１、２１’、２１’’内に挿入されていることにより、これらを迅速に取り外すことができ、新しいインサート２６を挿入することができる。その結果、ドア・リーフ全体２は、種々の特性を有し、環境の変化にも適応させることができる。
【００５５】
発射物が直角でドア・リーフ２に到達しない場合、またはスラット２１、２１’、２１’’またはインサート２６に対する発射物の衝突によって断片が形成される場合、これらがドア・リーフ２の内側までさらに移動することが、ラビリンス様重なり部２７または防御ストリップ３０、３１によって防止され得る。このため、ドア・リーフ２が全体として防弾性であることが、スラット２１、２１’、２１’’の重なり部２７によって確実にされる。加えて、偏向された部材は、ラビリンス様重なり部２７によって捕捉され得る。
本発明は、説明する実施形態に加えて別の構成原理を可能にする。
【００５６】
スラット２１、２１’、２１’’とインサート２６との間の角度αは、２°〜３０°の間、好ましくは５°〜１５°の間で可変となり得る。スラット２１、２１’、２１’’の補強、故にそれらの安定性は、角度に応じて適応され得る。それと同時に、個々のスラット２１、２１’、２１’’の重量も角度に応じて変化する。角度は、スラット２１、２１’、２１’’の寸法、使用される材料、ドア・リーフ２の幅、および所望の防弾性効果に応じて選択されるものである。ドア・リーフ２が水平位置から開放状態に偏向される場合、曲げモーメントがスラット２１、２１’、２１’’の長手側に作用する。インサート２６の斜め配置により、スラット配置全体の抵抗力のモーメントは、この曲げモーメントに対して増大され得る。スラット配置の抵抗力のモーメントは、このとき角度αと共に増大する。
【００５７】
加えて、追加の防御ストリップが、スラット２１の空洞２５内に配置され、このためそれによってローラ・ドア１の保護をさらに増大させることができる。また、複数の防御ストリップ３０、３１の代わりに１つだけの防御ストリップ３０、３１を空洞２５内に配置することも可能である。たとえば、インサート２６に対して相対的に外方向に延び、インサート２６の上側領域内に配置される防御ストリップ３０だけが、こうして形成されてよい。防御ストリップ３０はこのとき、インサート２６間に形成された空隙が、防御ストリップ３０によって下方から、すなわちローラ・ドア１の開放方向の方向に覆われるように配置される。
【００５８】
インサート２６の第１の防御ストリップ３０の反対側に形成された、すなわち内方向に延びる追加の防御ストリップ３１が、防御ストリップ３０の代わりに、または防御ストリップ３０に加えて形成されてもよい。この防御ストリップ３１は、たとえばインサート２６の下側領域内に形成され得る。この防御ストリップ３１は、上部から見て、すなわち閉鎖方向の方向にインサート２６間の空隙をこうして覆う。
【００５９】
別の実施形態では、防御ストリップ３０、３１は、インサート２６上に直角に設定され得る。防御ストリップ３０、３１は、この場合、９０°とは異なる角度をドア・リーフ平面と形成する。加えて、防御ストリップ３０、３１は、設置された状態において、防御ストリップ３０、３１のプレート平面に対して斜めに形成されたインサート２６上に位置する切断縁を有することができる。これにより、９０°とは異なる角度がインサート２６と防御ストリップ３０、３１との間に形成される場合であっても、すなわち防御ストリップ３０、３１がインサート２６に対して直角でない場合であっても、防御ストリップ３０、３１はインサート２６と平坦に同一平面であることができる。
【００６０】
本発明によるスラット２１、２１’、２１”は、閉鎖方向に先行する端部に少なくとも１つの段を備えた段様構成を有する。閉鎖方向に前面であるスラット２１、２１’、２１”の表面は、好ましくは、閉鎖方向に内側から外側にかけて段状に立ち上がって延びる。しかし、スラット２１、２１’、２１’’のこれらの表面が閉鎖方向に内側から外側にかけて下降して延びることも考えることができる。段は、２つの本質的に相互に平行な表面によって形成され、これらの表面は、これらに対して本質的に直角に延びる表面によって連結される。スラット２１、２１’、２１’’はまた、閉鎖方向に先行する端部である端部に複数の段を備えて形成されてもよい。２つのスラット２１、２１’、２１’’が互いに隣接して配向される場合、閉鎖方向に先行するスラットであるスラット２１、２１’、２１’’の表面は、閉鎖方向に後に続くスラットであるスラット２１、２１’、２１’’の対向表面の負の段形状に沿って延びる。しかし、段様構成は使用されなくてもよい。
【００６１】
さらに、スラット２１、２１’、２１’’がヒンジ２２の領域内では重なり合わず、ここから離間した場所で重なり合うことを考えることができる。重なり部の表面、すなわち
、スラットがドア・リーフ平面内で他のスラットの上方に位置する、閉鎖方向に延びる長さもまた、自由に選択可能であり、数ｍｍ〜数ｃｍの間であってよい。
【００６２】
好ましい実施形態では、ローラ・ドア１は、０．５ｍ／秒、好ましくは１．５ｍ／秒を上回る速度で作動することができる高速ローラ・ドア１として構成される。代替策として、ローラ・ドア１は、０．５ｍ／秒を下回る速度で移動することができる、低速移動ローラ・ドア１として構成されてもよい。しかし、到達できる動作の速度は、１．５ｍ／秒より早くてもよく、小寸法のローラ・ドア１の場合、約２．５ｍ／秒以上に到達することができる。加えて、ローラ・ドア１は、これが危険な状況において、通常の場合に到達される作動速度と比較してより高速で閉じるように構成され得る。たとえば、閉鎖速度は、安全性の理由で、開放作動中のローラ・ドア１の速度より低い値で設定されることが多い。しかし、危険な状態が、たとえばセンサによって検出された場合、ローラ・ドア１は、ローラ・ドア１の重力を利用して、開放速度、またはさらにこれより速い速度に到達することもできる。
【００６３】
１つ以上の段によって形成された、個々のスラット２１、２１’、２１’’間のラビリンス様閉鎖具の代替策として、追加の非接触閉鎖具が可能である。たとえば、スラット２１、２１’、２１’’間の閉鎖具は、１１０°の鋭角を有する形状として構成され得る。各スラットの１つの表面上に突出するドーム様形状として形成され、それに対応して隣接するスラットの対向面上に半円凹部を形成する、半円断面形状もまた、スラット２１、２１’、２１’’の相互に対向する端部において可能である。
【００６４】
ローラ・ドア１の対弾道特性を確立するために、インサート２６および少なくとも１つの防御ストリップ３０、３１は、対弾道特性を有する。インサート２６および少なくとも１つの防御ストリップ３０、３１はまた、クラスＦＢ３に加えて、ＤＩＮ  ＥＮ  １５２２：１９９８のすべての他のクラス、たとえばクラスＦＢ２またはＦＢ４にも適合することができる。しかし、インサート２６に加えて、スラット２１、２１’、２１’’は、たとえばこれが鋼で作製される場合、それ自体、対弾道特性を有することができる。したがって、本明細書で配置されるスラット２１、２１’、２１’’自体およびインサート２６の対弾道特性は、互いに補完し合うことができる。ＦＢ３によるローラ・ドア１の防弾特性を達成するために、スラット２１、２１’、２１’’が、インサート２６に加えて、ＦＢ３による防弾性にローラ・ドア１が全体的に適合するような対弾道特性を有する場合、結果として、インサートはＦＢ２による防弾性を満たすだけで十分となり得る。
【００６５】
インサート２６および少なくとも１つの防御ストリップ３０、３１により、ローラ・ドア１は、ＤＩＮ  ＥＮ  １５２２：１９９８による特定のクラス、たとえばクラスＦＢ３、またはそれより高いクラスに到達するために、種々のタイプの発射物についてＤＩＮ  ＥＮ  １５２３：１９９８に対応して試験され得る。特に、種々の銃弾角度および衝突点が、種々の距離で試験される。防弾性はまた、これに関連して、衝突する発射物の種々の角度において重なり領域に関して試験される。
【００６６】
インサート２６は、スラット２１、２１’、２１’’内の受け入れポケット内に圧入することによって締め付けられ得る。しかし、インサート２６のより容易な取り換えを可能にするために、インサート２６は、スラット２１、２１’、２１’’内にすきま嵌めによって配置されてもよい。他の保持システムもまた、スラット２１、２１’、２１’’内のインサート２６に可能である。したがって、インサート２６は、スラット２１、２１’、２１’’内にねじまたはリベットによって締め付けられてよい。インサート２６の取り換えが意図されない場合、インサート２６は、スラット２１、２１’、２１’’内に取り外し不能な連結によって締め付けられてもよい。スラット２１、２１’、２１’’の種々の点において圧縮状態下で形成すること、インサート２６をスラット２１、２１’、２１’
’内に結合または溶接することも、ここで考えることができる。
【００６７】
本発明の１つの実施形態では、スラット２１、２１’、２１’’は、アルミニウムから製造され得る。しかし、スラット２１、２１’、２１’’は、任意の他の、好ましくは耐食性および軽量の材料から製造されてもよい。スラット２１、２１’、２１’’は、横方向ガイド４から他の横方向ガイド４まで延びるため、これらはドア・リーフ２またはドア開口部の全幅を覆う。１つの実施形態では、スラット２１、２１’、２１’’は、異なる材料から製造される。スラット２１、２１’、２１’’の、ドア・リーフ２の外側の方を指す側は、耐食性材料、たとえばステンレス鋼から製造され、スラット２１、２１’、２１’’の、ドア・リーフ２の内側の方を指す側は、軽量材料、たとえばアルミニウムから製造される。
【００６８】
対弾道インサート２６の材料の例は、ＳＥＣＵＲＥ  ５００（登録商標）材料などの安全鋼、または炭素繊維補強プラスチック、ケブラー（Ｋｅｖｌａｒ）もしくはＣＦＫなどの複合材、たとえばＤｕｒｏｐｒｏｔｅｃｔ  ５０００（登録商標）材料である。しかし、インサート２６の材料は、対弾道特性を有する任意の他の材料であってもよい。加えて、インサート２６の材料は、同じ材料からなる必要はない。たとえば、ドア・リーフ２の中間領域内のインサート２６は、ＤＩＮ  ＥＮ  １５２２によるより高い防弾性クラスの材料からなることができ、ドア・リーフ２の下側および上側領域内のインサート２６は、それより低いクラスに属することができる。
【００６９】
さらに、インサート２６は、すべてのスラット２１、２１’、２１’’内に挿入される必要はない。たとえば、インサート２６は、閉鎖方向に先行する下側スラット２１、２１’、２１’’に挿入されるだけでよく、一方で上側スラット２１、２１’、２１’’は、インサート２６無しで構成される。
【００７０】
さらに、インサート２６は全体として、同じ材料から製造される必要はない。たとえば、インサート２６は、互いに連結された異なる材料からなる多層インサートとして構成されてよく、またはこれらは、異なる領域に分割され、領域に応じて異なる材料からなり、他の物理的特性を有することができる。たとえば、ローラ・ドア１は、弾道攻撃が一方向からのみ可能である領域内に設置され得る。それにしたがって、インサート２６の中央領域内の材料は、直角に作用する負荷に対して特に耐性を有する物理的特性を有することができ、一方でインサート２６の横方向領域は、表面との関係において斜めに作用する負荷に特に耐性を有する材料から製造される。
【００７１】
重なり部２７を水分および温度に対してシールされた重なり部としてさらに形成するために、ゴム形状が、隣り合うスラット２１、２１’、２１’’間のラビリンス様重なり部２７内に追加的に設けられ得る。
【００７２】
防弾性ローラ・ドア１の完璧な保護効果を保証するために、ドア・リーフ２周りのドアフレーム３も同様に、対弾道材料、たとえば鋼から作製され得る。
【産業上の利用可能性】
【００７３】
図１に示すドアは、ローラ・ドア１として構成される。しかし、本発明によるドア・リーフ要素は、他のドア配置およびドア・リーフ平面の他の配向においてならびにドア配置においても同様に使用可能である。代替策として、ドア・リーフ要素は、既存のドア・リーフ配置内に個々に一体化されても、または既存の要素と取り換えられてもよい。
【図１】
2019535989.tif 000003
【図２】
2019535989.tif 000004
【図３】
2019535989.tif 000005
【図４】
2019535989.tif 000006
【図５】
2019535989.tif 000007
【図６】
2019535989.tif 000008
【図７】
2019535989.tif 000009
【図８】
2019535989.tif 000010
【図９】
2019535989.tif 000011
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
防弾性ローラ・ドア（１）であって、前記ローラ・ドア（１）の閉鎖状態においてドア・リーフ平面を画定する、スラットまたはセクションなどの、ヒンジ（２２）を介して互いに屈曲可能に連結されたドア・リーフ要素（２１、２１’、２１’’）を備えるドア・リーフ（２）を備え、
前記ドア・リーフ（２）は、駆動装置（５）によって開放位置と閉鎖位置との間を往復移動することができ、
前記ドア・リーフ要素（２１、２１’、２１’’）は、断面内に空洞（２５）を有し、前記空洞の中に対弾道インサート（２６）が、前記ローラ・ドア（１）の閉鎖状態において前記ドア・リーフ平面内で隣り合うドア・リーフ要素（２１、２１’、２１’’）の前記インサート（２６）が重なり合うように挿入され、それにより、前記ドア・リーフ（２）は、閉鎖状態において前記ドア・リーフ平面全体にわたって対弾道特性を有するようになり、
前記インサート（２６）は、プレート様構成を有し、
前記インサート（２６）は、前記ドア・リーフ要素（２１、２１’、２１’’）の前記空洞（２５）内で前記ドア・リーフ平面に対して斜めに配向され、
前記ドア・リーフ要素（２１、２１’、２１’’）は、前記ドア・リーフ（２）の前記ヒンジ（２２）の領域内で段状に互いに重なり合い、それにより、前記ドア・リーフ平面内で前記閉鎖位置において後に続く前記それぞれのインサート（２６）は、前記ドアの外側で前記閉鎖位置において隣接して位置する前記インサート（２６）上を延びて、空隙を形成し、
前記ローラ・ドア（１）の閉鎖状態において隣り合うドア・リーフ要素（２１、２１’、２１’’）の前記インサート（２６）間の前記空隙を覆う少なくとも１つの対弾道防御ストリップ（３０、３１）が、前記インサート（２６）との関係において角度を付けて前記ドア・リーフ要素（２１、２１’、２１’’）の前記空洞（２５）内にさらに配置される、防弾性ローラ・ドアにおいて、
前記ローラ・ドア（１）の閉鎖状態において隣り合うドア・リーフ要素（２１、２１’、２１’’）の前記インサート（２６）間の前記空隙を両側で覆う２つの防御ストリップ（３０、３１）が、配置され、ラビリンス様重なり部（２７）が、互いに面する、２つの隣り合うドア・リーフ要素（２１、２１’、２１’’）の端面間に存在することを特徴とする、防弾性ローラ・ドア。
【請求項２】
前記インサート（２６）が、２°〜３０°の角度で前記ドア・リーフ平面に対して斜めに配向されることを特徴とする、請求項１に記載の防弾性ローラ・ドア。
【請求項３】
前記インサート（２６）が、５°〜１５°の角度で前記ドア・リーフ平面に対して斜めに配向されることを特徴とする、請求項２に記載の防弾性ローラ・ドア。
【請求項４】
前記ローラ・ドア（１）が、少なくとも０．５ｍ／秒の速度で作動され得ることを特徴とする、請求項１乃至３のいずれかに記載の防弾性ローラ・ドア。
【請求項５】
前記ローラ・ドア（１）が、少なくとも１．５ｍ／秒の速度で作動され得ることを特徴とする、請求項４に記載の防弾性ローラ・ドア。
【請求項６】
前記ローラ・ドア（１）が、ＤＩＮ  ＥＮ  １５２２：１９９８による少なくともＦＢ３の防弾性クラスと適合することを特徴とする、請求項１乃至５のいずれかに記載の防弾性ローラ・ドア。
【請求項７】
前記インサート（２６）および／または前記少なくとも１つの防御ストリップ（３０、３１）が、圧入によって前記ドア・リーフ要素（２１、２１’、２１’’）内に挿入されることを特徴とする、請求項１乃至６のいずれかに記載の防弾性ローラ・ドア。
【請求項８】
前記ドア・リーフ要素（２１、２１’、２１’’）の材料が、前記インサート（２６）の材料の密度より小さいことを特徴とする、請求項１乃至７のいずれかに記載の防弾性ローラ・ドア。
【請求項９】
前記ドア・リーフ要素（２１、２１’、２１’’）の材料がアルミニウムであり、前記インサート（２６）材料が鋼であることを特徴とする、請求項８に記載の防弾性ローラ・ドア。
【請求項１０】
請求項１乃至９のいずれかに記載の防弾性ローラ・ドア（１）用のドア・リーフ要素（２１、２１’、２１’’）であって、
断面内に空洞（２５）を有し、前記空洞内に対弾道インサート（２６）が挿入され、
前記インサート（２６）は、プレート様構成を有し、
前記インサート（２６）は、前記ドア・リーフ要素（２１、２１’、２１’’）の前記空洞（２５）内で前記ドア・リーフ要素（２１、２１’、２１’’）の垂直配向との関係において斜めに配向され、
さらに、前記インサート（２６）との関係において角度を付けて配向された少なくとも１つの対弾道防御ストリップ（３０、３１）が、前記ドア・リーフ要素（２１、２１’、２１’’）の前記空洞（２５）内に配置される、ドア・リーフ要素において、
２つの防御ストリップ（３０、３１）が配置されることを特徴とする、ドア・リーフ要素。
【請求項１１】
前記インサート（２６）が、２°〜３０°の角度で前記ドア・リーフ要素（２１、２１’、２１’’）の垂直配向に対して斜めに配向されることを特徴とする、請求項１０に記載のドア・リーフ要素。
【請求項１２】
前記インサート（２６）が、５°〜１５°の角度で前記ドア・リーフ要素（２１、２１’、２１’’）の垂直配向に対して斜めに配向されることを特徴とする、請求項１１に記載のドア・リーフ要素。
【請求項１３】
前記ドア・リーフ要素（２１、２１’、２１’’）が、ＤＩＮ  ＥＮ  １５２２：１９９８による少なくともＦＢ３の防弾性クラスに適合することを特徴とする、請求項１０乃至１２のいずれかに記載のドア・リーフ要素。
【請求項１４】
前記インサート（２６）および／または前記少なくとも１つの防御ストリップ（３０、３１）が、前記ドア・リーフ要素（２１、２１’、２１’’）内に圧入することによって挿入されることを特徴とする、請求項１０乃至１３のいずれかに記載のドア・リーフ要素。
【請求項１５】
前記ドア・リーフ要素（２１、２１’、２１’’）の材料が、前記インサート（２６）の材料の密度より小さいことを特徴とする、請求項１０乃至１４のいずれかに記載のドア・リーフ要素。
【請求項１６】
前記ドア・リーフ要素（２１、２１’、２１’’）の材料はアルミニウムのであり、前記インサート（２６）の材料は鋼であることを特徴とする、請求項１５に記載のドア・リーフ要素。
【手続補正２】
【補正対象書類名】明細書
【補正対象項目名】００４４
【補正方法】変更
【補正の内容】
【００４４】
図２は、スラット２１を備えたドア・リーフ２の横方向詳細図を示す。対弾道インサート２６が、スラット２１の空洞２５内に斜めに挿入される。インサート２６は、約７．８６ｇ／ｃｍ3に等しい鋼密度を有する鋼プレートとして構成され、鋼プレートは、厚さ４ｍｍを有する。鋼プレートの幅および高さは、ドア・リーフの寸法に左右される。幅は、例示的な実施形態では約３ｍであり、インサート２６の高さは、スラット２１の高さに直接左右され、ここでは１５ｃｍに等しい。閉鎖方向に先行するスラット２１は、ここでは閉鎖方向に後に続くスラット２１によって重ねられる。ラビリンス様重なり部２７が、隣り合うスラット２１のこの重なりによるスラット間の閉鎖具として形成される。
【手続補正３】
【補正対象書類名】明細書
【補正対象項目名】００４８
【補正方法】変更
【補正の内容】
【００４８】
個々の防御ストリップ３０、３１もまた、一体型構成を有する。これらは、たとえば、プレート様構成を有し、ドア・リーフ２の幅に対応するか、またはインサート２６に対応する長さを有する。それぞれの防御ストリップ３０、３１の厚さは、互いに異なっていてよく、インサート２６のものとは異なっていてよい。代替策として、インサート２６および少なくとも１つの防御ストリップ３０、３１は、同じ材料からなる要素であってよく、それと共に同じ厚さを有することができる。それゆえ、防御ストリップ３０、３１は、約７．８６ｇ／ｃｍ3に等しい鋼の密度を有する鋼プレートであってよい。加えて、防御ストリップ３０、３１は、たとえば、４ｍｍの厚さを有することができる。防御ストリップ３０、３１は、インサート２６と同様の対弾道特性を有する。インサート２６および防御ストリップ３０、３１の材料は、たとえば、熱間圧延された鋼であってよい。
【国際調査報告】
2019535989.tif 000012
2019535989.tif 000013
2019535989.tif 000014
2019535989.tif 000015